(57)【要約】【課題】従来のペット用スロープは、スロープ板のみのものや三角形状のものであり、使い勝手が良いものではなかった。本件考案は、片付けることが簡単にでき、さらにペットが激しく駆け上がったとしても位置ズレが発生しにくく、家具の高さに合わせて斜面の角度を調整することができる、ペット用スロープを提供するものである。【解決手段】ペットの移動を補助する為に設けるペット用スロープ１であって、ペット用スロープ１は支持板２とスロープ板３とを有し、スロープ板３の一端を支持板２に取り付け、この取り付け箇所を第一回転軸部４とし、支持板２とスロープ板３を揺動可能としたことを特徴とする。【選択図】図２
0003162741.tif 000002
【実用新案登録請求の範囲】
【請求項１】
ペットの移動を補助する為に設けるペット用スロープ（１）であって、
ペット用スロープ（１）は支持板（２）とスロープ板（３）とを有し、
スロープ板（３）の一端を支持板（２）に取り付け、
この取り付け箇所を第一回転軸部（４）とし、
支持板（２）とスロープ板（３）を揺動可能としたこと
を特徴とするペット用スロープ。
【請求項２】
第一連結部材（４０）を用いて、
支持板（２）とスロープ板（３）とが角度を有する状態を維持できること
を特徴とする請求項１記載のペット用スロープ。
【請求項３】
請求項２記載のペット用スロープにおいて、
第一連結部材（４０）は、ギア・ラチェット機構（４１、４２）であって、
このギア・ラチェット機構（４１、４２）は第一回転軸部（４）に設けられており、
規定角刻みに正回転が許容されると共に逆回転が規制され、
支持板（２）とスロープ板（３）とが一定角度以上となると、
逆回転の規制が解除されること
を特徴とする角度調整可能なペット用スロープ。
【考案の詳細な説明】
【技術分野】
【０００１】
この考案は、ペットの移動を補助する為に設けるペット用スロープに関する。
【背景技術】
【０００２】
近年ペット（犬、猫など）は、部屋で飼われることが多くなり、番犬等として風雪に凍えることもなくなった。その結果、ペットの寿命はめざましく延びた。長寿は喜ばしいが、かつては見られなかった新たな悩みも現れている。
例えば、昔のペットは糖尿病に悩むことがなかった。なぜなら、糖尿病になる前に寿命が尽きていたからである。このようなペットの老化現象も飼い主にとって心配の種となってきている。
【０００３】
また、室内で飼われるペットは運動不足に陥りやすく、ストレスが原因で、不適応を起こすペットも増えている。
このような問題を鑑み、室内用ペットの遊戯装置が開示されている。（特許文献１）
そして、病気や老化によって段差を登れなくなったペットや小型種のペットであっても、家具（ソファーやベッドなど）上にいる飼い主の隣へ移動可能とする為に、ペット用スロープ（「商品名：どこでもスロープ」非特許文献１）などが販売されている。図８は、従来のペット用スロープ（スロープ板３のみ）の使用態様示す説明図である。
【０００４】
しかしながら、これらのペット用スロープは、スロープ板のみのものや三角形状のものであり、使い勝手が良いものではなかった。具体的には、スロープ板のみの一枚を斜めに立てかけるものは、設置面積が少なくペットの移動に伴い、位置ズレしてしまうという問題があった。三角形のものは、常設している時は良いが、片付ける際に置き場所がないという問題があった。
また、従来のペット用スロープは、ペットが登りやすい角度とすることができず、スロープ板がなす斜面が急角度となり、ペットが登れないという問題もあった。
【先行技術文献】
【特許文献】
【０００５】
【特許文献１】特開２００９−１８９２６５
【非特許文献】
【０００６】
【非特許文献１】ｈｔｔｐ：／／ｗｗｗ．ｓｏｕｓａｋｕ．ｎｅｔ／ｐｄ＿ｄｓｌｏｐｅ．ｈｔｍｌ
【考案の概要】
【考案が解決しようとする課題】
【０００７】
本件考案は、片付けることが簡単にでき、さらにペットが激しく駆け上がったとしても位置ズレが発生しにくく、家具の高さに合わせて斜面の角度を調整することができる、ペット用スロープを提供するものである。
【課題を解決するための手段】
【０００８】
（請求項１記載の考案）
請求項１記載のペット用スロープは、ペットの移動を補助する為に設けるペット用スロープであって、ペット用スロープは支持板とスロープ板とを有し、スロープ板の一端を支持板に取り付け、この取り付け箇所を第一回転軸部とし、支持板とスロープ板を揺動可能としたことを特徴とする。
【０００９】
（請求項２記載の考案）
請求項２記載のペット用スロープは、請求項１記載のペット用スロープにおいて、第一連結部材を用いて、支持板とスロープ板とが角度を有する状態を維持できることを特徴とする。
【００１０】
（請求項３記載の考案）
請求項３記載の角度調整可能なペット用スロープは、請求項２記載のペット用スロープにおいて、第一連結部材は、ギア・ラチェット機構であって、このギア・ラチェット機構は第一回転軸部に設けられており、規定角刻みに正回転が許容されると共に逆回転が規制され、支持板とスロープ板とが一定角度以上となると、逆回転の規制が解除されることを特徴とする。
【考案の効果】
【００１１】
このペット用スロープは、折りたたむことができることから片付けることが簡単であり、支持板が広い面積で床に接触可能なことからスロープ板で激しい動きがあったとしても位置ズレが発生しにくいものである。
角度調整可能なペット用スロープとすると、家具の高さに対して最適な角度でスロープ板を固定することが可能となり、ペットが登りやすいペット用スロープとなる。
【図面の簡単な説明】
【００１２】
【図１】図１はこの考案のペット用スロープの使用態様示す説明図である。（実施例１）
【図２】図２はペット用スロープの全体斜視図である。（実施例１）
【図３】図３はペット用スロープのフレームの全体斜視図である。（実施例１）
【図４】図４は回転軸部の側面図である。
【図５】図５はペット用スロープの全体斜視図である。（実施例２）
【図６】図６はペット用スロープの全体斜視図である。（実施例２）
【図７】図７はペット用スロープの変形説明図である。（実施例２）
【図８】図８は従来のペット用スロープの使用態様示す説明図である。
【考案を実施するための形態】
【００１３】
本件考案は、室内に設けられ片付けることが簡単にできペットが激しく駆け上がったとしても位置ズレしにくいペット用スロープを、実施例１および実施例２によって実現した。
【実施例１】
【００１４】
図１はこの考案のペット用スロープの使用態様示す説明図ある。
図２はペット用スロープの全体斜視図である。
図３はペット用スロープのフレームの全体斜視図である。
図４は回転軸部の側面図である。
【００１５】
（１．ペット用スロープの使用態様について）
従来のペット用スロープは、図８に示すように、スロープ板３を小型のペットや高齢のペットなどが登ることができない家具１０へ、斜面として立てかけて設けるものであった。
実施例１のペット用スロープ１は、図１に示す態様で、使用されるものある。このように家具１０にスロープ板３を設置すると、ペットは、飼い主が段差を有する場所にいたとしても、飼い主の傍へ移動することが可能となる。
家具１０として、机、椅子、ソファー、ベッドなどを例示することができる。
【００１６】
（２．ペット用スロープ１の基本構成について）
この実施例１のペット用スロープ１は、図１、図２に示すように、支持板２とスロープ板３とを有し、スロープ板３の一端を支持板２に取り付け、この取り付け箇所を第一回転軸部４とし、支持板２とスロープ板３を揺動可能としたものである。
このように構成したペット用スロープ１は、折りたたむことができることから片付けることが簡単であり、支持板２が広い面積で床に接触可能なことからスロープ板３で激しい動きがあったとしても位置ズレしにくいものである。
また、直接家具１０に立てかけることもないので、ソファーなどのクッション材を傷める心配もない。
図２（ａ）は設置状態であり、図２（ｂ）は折り畳んだ状態である。
【００１７】
支持板２は、奥行き５５〜７５ｃｍ、幅３０〜４０ｃｍ、厚さ３〜１０ｃｍとするのが好ましい。
スロープ板３は、奥行き５０〜７０ｃｍ、幅３０〜４０ｃｍ、厚さ５〜１０ｃｍとするのが好ましい。スロープ板３の幅は、支持板２と同じ幅とするのが好ましい。
第一回転軸部４は、支持板２の奥行きにおいて、ふもと側端部と頂上側端部との間に設けられるものである。支持板２のふもと側端部から第一回転軸部４までの長さは、支持板２の奥行きの２５〜４０％とするのが好ましい。
【００１８】
（３．ペット用スロープ１の内部構成について）
この実施例１のペット用スロープ１の内部構造は、図３に示すように、支持板フレーム２０とスロープ板フレーム３０と、この二つのフレームを結合し揺動可能とする第一回転軸部４とからなる。
第一連結部材４０を用いて角度維持が可能であり、位置ズレが発生した場合であってもスロープ板３が落下せず、支持板２とスロープ板３の間に挟まる心配の無いものとすることができる。第一連結部材４０として、脚立の固定に用いられる金具や、座椅子に用いられるギア４１とラチェット４２機構を例示することができる。
【００１９】
（４．ギア・ラチェット機構４１・４２について）
このギア・ラチェット機構４１・４２は、図４に示すように、第一回転軸部４に設けられている。ギア・ラチェット機構４１・４２によって、支持板２とスロープ板３とは、規定角刻みに正回転が許容されると共に逆回転が規制され、一定角度以上となると逆回転の規制が解除される。
ギア・ラチェット機構は、図４（ａ）に示すように、第一回転軸部４に設けられた第一連結部材４０内に、ギア４１とラチェット４２とを組み込んだものである。
このようにすると、図４（ｂ）に示すように、角度調整が可能な座椅子の如く、支点４３を軸として、ギア４１の歯ごとに角度を微調整することが可能である。
【００２０】
角度の微調整は、正回転の場合（スタートのＳからＦへ回転する場合）、ギア４１とラチェット４２の係合と解除が順々に行なわれ、ファイナルＦの手前までは段階的に、角度Ｓへスロープ板３０が戻らない態様となる。ファイナルＦの角度にまでスロープ板フレーム３０が到達すると、ギア４１とラチェット４２の係合による規制が解除され、スタートＳの角度までスロープ板フレーム３０が一気に戻る逆回転を可能とする。
角度の調整は、スタートＳの０°（支持板２とスロープ板３とが接している状態）からファイナルＦの９７°（ギア・ラチェット機構４１・４２の規制が解除される角度）の角度内で１４段階とすることができる。たとえば、係合による規制が規定角６°刻みの場合、６°１２°１８°２４°３０°３６°４２°４８°５４°６０°６６°７２°７８°８４°といった角度で固定することができる。このとき、８４°がギア・ラチェット４１・４２によるスロープ板３固定（逆回転規制）の最大角となり、スロープ板３を９７°（一定角度）まで移動させると逆回転の規制が解除される。
【００２１】
第一連結部材４０にギア・ラチェット機構４１・４２を用いると、家具の高さに対して最適な角度でスロープ板３を固定することが可能となる。ギア・ラチェット機構４１・４２を用いたペット用スロープ１を、角度調整可能なペット用スロープとする。
【００２２】
（５．ペット用スロープ１の表面構造について）
上述のような態様で設けられた支持板フレーム２０およびスロープ板フレーム３０に、板材とクッション材と表皮材を取り付け、ペット用スロープ１とすることができる。
板材として、ＦＲＰ樹脂板、ベニヤ板、ＭＤＦ板などを例示することができる。ベニヤ板を用いるのが重量と強度のバランスがよく、好ましい。
【００２３】
クッション材として、コットン、ポリウレタン、エラストマー、などを例示することができる。ポリウレタンを用いるのが好ましい。
表皮材として、牛革・鹿皮といった皮類や、人工皮革などのツメ傷に強い生地を例示することができる。ポリ塩化ビニルを用いた人工皮革や目の細かいスウェード生地を用いるのが好ましい。
【実施例２】
【００２４】
実施例２のペット用スロープ１は、実施例１記載のペット用スロープ１において、スロープ板３のもう一端に延長板５を取り付け、スロープ板３と延長板５を揺動自在としたものが、実施例２のペット用スロープ１である。
したがって、実施例１を踏まえて、実施例２を説明する。
図５はペット用スロープの全体斜視図である。
図６はペット用スロープの全体斜視図である。
図７はペット用スロープの変形説明図である。
【００２５】
（１．ペット用スロープ１の基本構成について）
実施例２のペット用スロープ１は、図５および図６に示すように、支持板２とスロープ板３と延長板５を有する。
スロープ板３の一端は、実施例１と同様に、支持板２に取り付けられ、第一回転軸部４である。第一回転軸部４は、実施例１と同様に、第一連結部材４０でありギア・ラチェット機構４１・４２によって回転が規制される。
【００２６】
支持板２とスロープ板３の寸法は、実施例１と同様にするのが好ましい。延長板５の寸法は、奥行き３８〜５８ｃｍ、幅３０〜４０ｃｍ、厚さ５〜１０ｃｍとするのが好ましい。延長板５の幅は、支持板２とスロープ板３と同じ幅とするのが好ましい。
延長板５を取り付けることによって、高さを有する家具に対してもペットが登りやすい斜面角度とすることができる。
【００２７】
（２．スロープ板３と延長板５の取り付けについて）
スロープ板３のもう一端は、延長板５が取り付けられている。スロープ板３と延長板５の取り付け箇所は、揺動可能となる第二回転軸部６である。第二回転軸部６には、第二連結部材６０が設けられている。この第二連結部材６０によって、スロープ板３と延長板５の揺動は、抵抗を有するものとなる。第二連結部材６０として、フォールディングギア機構を例示することができる。
また、第二回転軸部６における揺動可能な角度は、スロープ板３と延長板５が直線状となる態様から、スロープ斜面の鉛直下方向までとするのが好ましい。
【００２８】
（３．延長板５について）
延長板５は、図６、図７に示すように、スロープ板側延長板５０と先端側延長板５１からなる。スロープ板側延長板５０と先端側延長板５１の接続部は、第三回転軸部７であり、第三回転軸部７にはギア・ラチェット機構を用いた第三連結部材７０が設けられている。
スロープ板側延長板５０の奥行き、すなわち第二回転軸部６から第三回転軸部７の寸法は、以下の厚み長さ範囲とするのが好ましい。
厚み長さ範囲は、（支持板２の厚さ＋スロープ板３の厚さ＋先端側延長板５１厚さ）〜（支持板２の厚さ＋スロープ板３の厚さ）である。
このような厚み長さ範囲とすると、支持板２とスロープ板３と先端側延長板５１を三枚重ねでコンパクトに折りたたむことができる（図７の５）。
【００２９】
（４．第三回転軸部７について）
第三回転軸部７に設けられる、第三連結部材７０は、ギア・ラチェット機構である。機構としては、第一連結部材４０のものと同様である。
しかしながら、第三連結部材７０は、第一連結部材４０の逆回転が許容される（図７のＳからＦ）と共に第一連結部材４０の正回転（図７のＦからＳ）が規制され、スロープ板側延長板５０と先端側延長板５１とが一定角度以上（図７のＦ破線位置）となると、正回転の規制が解除される。
すなわち、第三連結部材７０は、図７に示すように、ギア・ラチェット機構を第一連結部材４０とは逆向きに規制するように設けられている。
【００３０】
角度の微調整は、逆回転の場合（スタートのＳからＦへ回転する場合）、ギアとラチェットの係合と解除が順々に行なわれ、ファイナルＦの手前までは段階的に、角度Ｓへ先端側延長板５１が戻らない態様となる。ファイナルＦの角度にまで先端側延長板５１が到達すると、ギアとラチェットの係合による規制が解除され、スタートＳの角度まで、先端側延長板５１が一気に戻る逆回転が可能となる。
角度の調整は、スタートＳの０°（スロープ板側延長板５０と先端側延長板５１とが１８０°の角度を有し直線状）からファイナルＦの１０７°（ギア・ラチェット機構の規制が解除される角度）まで５段階とすることができる。たとえば、係合による規制が１６°刻みの場合、１６°３２°４８°６４°８０°といった角度で固定することができる。
【００３１】
第三連結部材７０にギア・ラチェット機構を用いると、スロープ板３とスロープ板側延長板５０と先端側延長板５１によって擬似アーチ状のペット用スロープ（図７の３、４）とすることができ、障害物の避ける為に用いたり、ペットの遊戯装置として用いたりすることができる。
【００３２】
（５．ペット用スロープ１の表面構造について）
表面構造は、実施例１と同様に設けることができる。
【００３３】
（６．ペット用スロープ１の使用態様について）
実施例２のペット用スロープ１は、図７の１〜５に示すような態様で変形させることができる。
図７の１の使用態様は、実施例１のペット用スロープよりも高さのある家具１０に使用することができる。この時、スロープ板３およびスロープ板側延長板５０および先端側延長板５１の上に、ペットが乗った場合であっても、第一回転軸部４と家具１０上に設置される延長板５の先端によって、スロープ板３およびスロープ板側延長板５０および先端側延長板５１は、一直線の態様を保つことができる。
【００３４】
図７の２の使用態様は、実施例１のペット用スロープと比較して、設置する家具上に先端側延長板５１が乗り、ペットが激しく動いた場合であっても、位置ズレがさらに発生しにくいものとなる。
【００３５】
図７の３及び図７の４記載の使用態様であると、スロープ板３およびスロープ板側延長板５０および先端側延長板５１によって、アーチ状とすることができる。このアーチ状態様を利用することによって、障害物の回避や、ペット遊具とすることができる。
【００３６】
図７の５の記載は、収納時のものである。上述の通り、スロープ板側延長板５０の奥行き長さが設定されているため、コンパクトに収納することが可能である。
【産業上の利用可能性】
【００３７】
本件考案のフレームおよびギア・ラチェット機構は、市販されている座椅子のものを利用している。すなわち、座椅子に用いられているフレームやギア・ラチェット機構の耐荷重量で使用可能な、スロープ用途であれば、本件考案を適用することができる。
【符号の説明】
【００３８】
１    ペット用スロープ
１０    家具
２    支持板
２０    支持板フレーム
３    スロープ板
３０    スロープ板フレーム
４    第一回転軸部
４０    第一連結部材
４１    ギア
４２    ラチェット
４３    支点
５    延長板
５０    スロープ板側延長板
５１    先端側延長板
６    第二回転軸部
６０    第二連結部材
７    第三回転軸部
７０    第三連結部材
【図１】
0003162741.tif 000003
【図２】
0003162741.tif 000004
【図３】
0003162741.tif 000005
【図４】
0003162741.tif 000006
【図５】
0003162741.tif 000007
【図６】
0003162741.tif 000008
【図７】
0003162741.tif 000009
【図８】
0003162741.tif 000010